(57)【要約】      （修正有）【課題】体調や病状、好みにに合わせて選択したり組み合わせることができ、使用場所を選ばない汎用性、携帯性、移動性、意匠性に優れた足裏マッサージ用具を提供する。【解決手段】鶏卵形状類似の球体を中心線で２分割して床面に座る平面部と足裏が接触する曲面部とで半円球体を構成することを特徴とする。ゴム、合成樹脂、コルク、または無機材にて半円球体を成型する。【選択図】図６
0003152830.tif 000002
【実用新案登録請求の範囲】
【請求項１】
鶏卵形状類似の球体を中心線で２分割して床面に座る平面部と足裏が接触する曲面部とで半円球体を構成することを特徴とした足裏マッサージ用具。
【請求項２】
ゴム、合成樹脂、コルク、または無機材にて床面に座る平面部と足裏が接触する曲面部とで半円球体を成型することを特徴とした請求項１記載の足裏マッサージ用具。
【請求項３】
足裏が接触する曲面部を半円球体とし平面部に巾広の台座を固着または平面部に至って末広がりにしたことを特徴とした請求項２記載の足裏マッサージ用具。
【請求項４】
平面部に緩衝材を固着したことを特徴とした請求項１、２または３記載の足裏マッサージ用具。
【請求項５】
表面を粗面にしたことを特徴とした請求項１、２または３記載の足裏マッサージ用具。
【考案の詳細な説明】
【技術分野】
【０００１】
この考案は健康維持増進を図る足裏マッサージ用具に関する。
【背景技術】
【０００２】
東洋医学で足裏は臓器や部位の反射区が集中している。押さえて硬くなっているところ痛いところはその反射区の臓器や部位が弱っていて、指圧すると血流が良くなり痛みが和らぎ臓器や部位の自然治癒力を高める効果があると言われる。現代は老若男女を問わず複雑なストレス社会で多種多様なストレス解消グッズが求められている。従来の足裏マッサージ用具は電気製品も含め複数の突起物からなり突起物の並び方や形状から瞬時に足裏マッサージ用具と解るものが多く意匠に敏感な人は置き場所に困り敬遠していた。また一定に並んだ突起物は万人に平均的な刺激を与えるものであった。
【先行技術文献】
【特許文献】
【０００３】
【特許文献１】特開２０００−３２５４２６号公報
【考案の概要】
【考案が解決しようとする課題】
【０００４】
凝りや疲労の質や度合いは日によって原因によって異なる。その日その時の体調や病状、好みに合わせて選択でき、組合せができる汎用性、携帯性、移動性、意匠性に優れた足裏マッサージ用具を提供する。
【課題を解決するための手段】
【０００５】
鶏卵形状類似の球体を中心線で２分割して床面に座る平面部と足裏が接触する曲面部とで半円球体を構成することで課題を解決した。本考案は鶏卵の形状からヒントを得、鶏卵形状類似の球体に加工した無機材の天然石で検証を行った。
【考案の効果】
【０００６】
鶏卵形状類似の球体を短辺方向に切断し切断面を床に置いて踏むと足裏は突出した凸部に接し、鈍い痛気持ち良い踏み心地が得られる。また長辺方向に切断し切断面を床に置いて踏むと足裏は緩やかに突出した凸部に接することになり、短辺方向に切断したものと比較するとマイルドな踏み心地が得られる。
【０００７】
検証は硬い天然石で行ったが、ゴム、合成樹脂、コルクなど硬度４０〜８０ほどの反発力のある素材でつくると、よりマイルドな踏み心地が期待できる。
【０００８】
この足裏マッサージ用具はコンパクトで携帯や移動性に優れる。使用後に片付けなくても足裏マッサージ用具に見えないシンプルな形状で、かつ組み合わができる特徴をもつ。
長辺方向で切断したもの、短辺方向に切断したもの、硬度の異なるもの、それぞれ踏み心地が異なるものを組み合わせることができ、複雑な踏み心地が得られる。また形状の異なるもの、硬度の異なるものを複数個並べて使用すれば、単品で使用するより足裏の接する面積が増え体重が分散されるので、よりマイルドな踏み心地が得られる。
【０００９】
以上は、その日その時の体調や病状、好みに合わせて自由に組合せて使用できる特徴を解説したもので、共有する家族や不特定多数のニーズに幅広く答えるものである。
【００１０】
足裏が接触する曲面部を粗面（梨肌状）にし、滑り止めを施せば安全性を増す。入浴中に使用すれば足裏の硬い角質が除去できる効果も期待できる。
【００１１】
切断面に緩衝材を固着することで滑らず一層の安全性が得られる。
【図面の簡単な説明】
【００１２】
【図１】本考案の原型となった鶏卵形状類似の球体の平面図。
【図２】本考案の足裏マッサージ用具の使用状態を示す正面図。
【図３】同上の異なる使用状態を示す正面図。
【図４】同上の異なる使用状態を示す正面図。
【図５】本考案の足裏マッサージ用具の実施例の斜視図。
【図６】同上の異なる実施例の斜視図。
【図７】同上の異なる実施例の斜視図。
【図８】同上の異なる実施例の斜視図。
【図９】浴室での使用例。
【図１０】浴室での使用例。
【考案を実施するための形態】
【００１３】
図１は鶏卵形状類似の球体の平面図である。この球体を、Ｘ−Ｘで切断すると１ａと１ｂができ、Ｙ−Ｙで切断すると１ｃができる。
【００１４】
図２は１ａを床に置いた正面図で、１ａは突出した曲面状で踏むと１ｂや１ｃより痛い踏み心地になる。  
【００１５】
図３は１ｂを床に置いた正面図で１ａよりマイルドな踏み心地である。  
【００１６】
図４は１ｃを床に置いた正面図１ｂよりマイルドな踏み心地である。  
【００１７】
ゴム、合成樹脂、コルクなど硬度４０〜８０ほどの反発力のある素材でつくると同じ形状でも、それぞれ異なる踏み心地が期待できる。
【００１８】
製造は鶏卵形状類似の天然石をＸ−ＸまたはＹ−Ｙで切断する方法、予め切断後の形状を合成樹脂や金属で成形する方法、コルクや木材を削る方法が考えられる。
【００１９】
素地のまま床に置いても使用できるが金属や天然石の場合は滑ったり床に傷がつくので図６のように切断面に１ｍｍ程の革やゴム、塩化ビニール等の緩衝材を貼るのが望ましい。
【００２０】
表面を粗面（梨肌状）にし、滑り止めを施せば安全性も増す。入浴中に使用すれば足裏の硬い角質が除去できる効果も期待できる。
【実施例１】
【００２１】
図５、シンブルで足裏マッサージ用具に見えない利点がある。
【実施例２】
【００２２】
図６、切断面に緩衝材を貼り、表面を粗面にし機能性を高めた。
【実施例３】
【００２３】
図７、足裏の接する凸部を親指形状の球面とし（直径２０ｍｍ程）、床面に座る平面部を広く（直径３０ｍｍ程）し、転倒しにくい形状とした。
【実施例４】
【００２４】
図８は図７と同じ機能をもつ形状の一例である。
【産業上の利用可能性】
【００２５】
ストレス社会の現代人の凝りや疲労を改善することに貢献する。
【符号の説明】
【００２６】
ｅｇｇ  鶏卵形状の球体。
１ａ  鶏卵形状類似の球体を切断した足裏マッサージ用具。
２ｂ  鶏卵形状類似の球体を切断した足裏マッサージ用具。
３ｃ  鶏卵形状類似の球体を切断した足裏マッサージ用具。
【図１】
0003152830.tif 000003
【図２】
0003152830.tif 000004
【図３】
0003152830.tif 000005
【図４】
0003152830.tif 000006
【図５】
0003152830.tif 000007
【図６】
0003152830.tif 000008
【図７】
0003152830.tif 000009
【図８】
0003152830.tif 000010
【図９】
0003152830.tif 000011
【図１０】
0003152830.tif 000012